(57)【要約】【課題】効率的に端末装置を除菌することのできる除菌システムを提供する。【解決手段】充電器および電話機を含む充電システムでは、電話機が充電器の除菌動作位置にセットされたときの、電話機の汚れ度合いを表わす指標の指標値に基づいて除菌動作の動作量が設定され（Ｓ２）、電話機が除菌動作位置にセットされた状態で、充電器において設定された動作量で除菌動作が行なわれる（Ｓ３）。設定された動作量での除菌動作が完了、または電話機が除菌動作位置にセットされた状態を脱すると、除菌動作が終了し（Ｓ４）、充電器で行なわれた除菌動作の動作量から得られる除菌完了度合いに基づいて、電話機についての指標値が更新される（Ｓ６）。【選択図】図８
2014158217.tif 000002
【特許請求の範囲】
【請求項１】
端末装置と、予め除菌動作を行なう位置として規定された位置である除菌動作位置にセットされた前記端末装置を除菌可能な除菌装置とを含む除菌システムであって、
前記端末装置の汚れ度合いを表わす指標に関連した前記端末装置の使用量を検知するための検知手段と、
検知された前記使用量に基づいて前記指標の指標値を算出するための管理手段と、
前記指標値を記憶するための記憶手段と、
前記端末装置が前記除菌動作位置にセットされたときの前記指標値に基づいて前記除菌装置での除菌動作の動作量を設定し、前記端末装置が前記除菌動作位置にセットされた状態において前記除菌装置に除菌動作を行なわせるための制御手段とを備え、
前記制御手段は、前記端末装置が前記除菌動作位置にセットされた状態を脱すると前記除菌装置に前記除菌動作を終了させ、
前記管理手段は、さらに、前記除菌装置で行なわれた除菌動作の動作量から得られる除菌完了度合いに基づいて前記記憶手段に記憶される前記指標値を更新する、除菌システム。
【請求項２】
前記検知手段は、前記端末装置の汚れ度合いを表わす前記指標に関連した前記端末装置の使用量として、複数の指標に関連した前記端末装置の使用量を検知し、
前記管理手段は、検知された前記複数の指標に関連した前記使用量に基づいて前記複数の指標それぞれの指標値を算出し、
前記制御手段は、前記除菌動作位置にセットされたときの前記複数の指標のうちの少なくとも２以上の指標の指標値に基づいて前記除菌装置での除菌動作の動作量を設定し、
前記管理手段は、前記除菌装置で行なわれた除菌動作の動作量から得られる除菌完了度合いに基づいて前記記憶手段に記憶される前記複数の指標それぞれの指標値を更新する、請求項１に記載の除菌システム。
【請求項３】
端末装置であって、
前記端末装置の汚れ度合いを表わす指標に関連した前記端末装置の使用量を検知するための検知手段と、
検知された前記使用量に基づいて前記指標の指標値を算出するための管理手段と、
前記指標値を記憶するための記憶手段と、
除菌装置と通信するための通信手段と、
当該端末装置の除菌を制御するための制御手段とを備え、
前記制御手段は、
前記通信手段を用いて前記指標値を前記除菌装置に対して送信する第１の動作と、
前記通信手段を用いて前記除菌装置から受信した、前記除菌装置で行なわれた当該端末装置に対する除菌動作の動作量から得られる除菌完了度合いに基づいて、前記管理手段を用いて、前記記憶手段に記憶される前記指標値を更新する第２の動作と、を実行する、端末装置。
【請求項４】
予め除菌動作を行なう位置として規定された位置である除菌動作位置にセットされた端末装置を除菌可能な除菌装置であって、
前記端末装置と通信するための通信手段と、
除菌動作を制御するための制御手段とを備え、
前記制御手段は、前記端末装置が前記除菌動作位置にセットされたときの、前記端末装置の汚れ度合いを表わす指標の指標値に基づいて除菌動作の動作量を設定し、前記端末装置が前記除菌動作位置にセットされた状態において除菌動作を実行する、除菌装置。
【請求項５】
予め除菌動作を行なう位置として規定された位置である除菌動作位置にセットされた端末装置を除菌可能な除菌装置を用いて、前記端末装置を除菌する方法であって、
前記端末装置が前記除菌動作位置にセットされたときの、前記端末装置の汚れ度合いを表わす指標の指標値に基づいて除菌動作の動作量を設定するステップと、
前記端末装置が前記除菌動作位置にセットされた状態で、前記除菌装置において前記動作量で除菌動作を行なうステップと、
前記動作量での除菌動作が完了、または前記端末装置が前記除菌動作位置にセットされた状態を脱すると、前記除菌装置での前記除菌動作を終了するステップと、
前記除菌装置で行なわれた除菌動作の動作量から得られる除菌完了度合いに基づいて、前記除菌動作の対象となった端末装置についての前記指標値を更新するステップとを備える、除菌方法。
【発明の詳細な説明】
【技術分野】
【０００１】
この発明は除菌システム、端末装置、除菌装置、および除菌方法に関し、特に、端末装置を除菌する除菌システム、端末装置、除菌装置、および除菌方法に関する。
【背景技術】
【０００２】
携帯電話などの携帯可能な端末装置が長時間使用されることで細菌等が付着することがある。そこで、このような端末装置を適切なタイミングで除菌することが提案されている。
【０００３】
たとえば特開２０１０−１１４１１号公報（以下、特許文献１）は、消臭剤を噴霧する機構を搭載した、携帯電話を充電するための充電器を開示している。詳しくは、充電器は、携帯電話から通話履歴および消臭履歴を取得して最終消臭日付から所定の充電開始動作までの通話時間を算出し、算出された通話時間が予め定められた所定時間を超えている場合に携帯電話に消臭剤を噴霧する制御を行なう。
【先行技術文献】
【特許文献】
【０００４】
【特許文献１】特開２０１０−１１４１１号公報
【発明の概要】
【発明が解決しようとする課題】
【０００５】
しかしながら、上記特許文献１の技術を採用して除菌動作を行なうとすると、携帯電話の通常の使用形態では、発着信操作により除菌動作が頻繁に中断される可能性がある。一方で、除菌動作中の携帯電話の使用を制限すると不便であり、また、使用中も除菌動作を継続する構成とするとノイズが混入して通話品質が低下したり、使用し難くなったりする可能性もある。
【０００６】
一方で、中断された次の除菌動作の際に改めて除菌動作を行なうか否かの判断からやり直すとすると、中断された除菌動作の分、動作の無駄が発生してしまうことにもなる。
【０００７】
本発明はこのような問題に鑑みてなされたものであって、効率的に端末装置を除菌することのできる除菌システム、端末装置、除菌装置、および除菌方法を提供することを目的としている。
【課題を解決するための手段】
【０００８】
上記目的を達成するために、本発明のある局面に従うと、除菌システムは、端末装置と、予め除菌動作を行なう位置として規定された位置である除菌動作位置にセットされた端末装置を除菌可能な除菌装置とを含む除菌システムであって、端末装置の汚れ度合いを表わす指標に関連した端末装置の使用量を検知するための検知手段と、検知された使用量に基づいて、指標の指標値を算出するための管理手段と、指標値を記憶するための記憶手段と、端末装置が除菌動作位置にセットされたときの指標値に基づいて除菌装置での除菌動作の動作量を設定し、端末装置が除菌動作位置にセットされた状態において除菌装置に除菌動作を行なわせるための制御手段とを備える。制御手段は、端末装置が除菌動作位置にセットされた状態を脱すると除菌装置に除菌動作を終了させ、管理手段は、さらに、除菌装置で行なわれた除菌動作の動作量から得られる除菌完了度合いに基づいて、記憶手段に記憶される指標値を更新する。
【０００９】
好ましくは、管理手段は、除菌装置での除菌動作が終了すると、その除菌動作の動作量から得られる除菌完了度合いに応じて記憶手段に記憶される指標値を減じ、制御手段は、次の除菌動作の際に、管理手段によって減じられた指標値に基づいて動作量を設定する。
【００１０】
好ましくは、端末装置は、検知手段、管理手段、記憶手段、および除菌装置と通信するための通信手段を含み、除菌装置は、制御手段および端末装置と通信するための通信手段を含む。そして、端末装置は、指標値を除菌装置に対して送信する第１の動作と、除菌装置から受信した除菌完了度合いに基づいて記憶手段に記憶される指標値を更新する第２の動作と、を行なう。また、除菌装置は、端末装置から受信した指標値に基づいて除菌動作の動作量を設定し、端末装置が除菌動作位置にセットされた状態において除菌動作を実行する第３の動作と、第３の動作で行なわれた除菌動作の動作量から得られる除菌完了度合いを、端末装置に対して送信する第４の動作と、を行なう。
【００１１】
好ましくは、指標に関連した使用量は、予め規定された端末装置にユーザが接触または接近した状態での端末装置の使用量を含み、検知手段は、端末装置に配置された端末装置への接触または接近を検知するためのセンサからのセンサ信号に基づいて端末装置の使用量を検知する。
【００１２】
より好ましくは、指標に関連した端末装置の使用量は、除菌装置の除菌動作位置にセットされた状態を脱してからの期間と、端末装置への接触が検知されている期間と、端末装置に備えられる入力部への接触または接近を伴う入力期間と、端末装置の動作期間と、のうちのいずれか１つである。
【００１３】
好ましくは、検知手段は、端末装置の汚れ度合いを表わす指標に関連した端末装置の使用量として、複数の指標に関連した端末装置の使用量を検知し、管理手段は、検知された複数の指標に関連した使用量に基づいて複数の指標それぞれの指標値を算出し、制御手段は、除菌動作位置にセットされたときの複数の指標のうちの少なくとも２以上の指標の指標値に基づいて除菌装置での除菌動作の動作量を設定し、管理手段は、除菌装置で行なわれた除菌動作の動作量から得られる除菌完了度合いに基づいて記憶手段に記憶される複数の指標それぞれの指標値を更新する。
【００１４】
本発明の他の局面に従うと、端末装置は、端末装置の汚れ度合いを表わす指標に関連した端末装置の使用量を検知するための検知手段と、検知された使用量に基づいて、指標の指標値を算出するための管理手段と、指標値を記憶するための記憶手段と、除菌装置と通信するための通信手段と、当該端末装置の除菌を制御するための制御手段とを備える。制御手段は、通信手段を用いて指標値を除菌装置に対して送信する第１の動作と、通信手段を用いて除菌装置から受信した、除菌装置で行なわれた当該端末装置に対する除菌動作の動作量から得られる除菌完了度合いに基づいて、管理手段を用いて、記憶手段に記憶される指標値を更新する第２の動作と、を実行する。
【００１５】
本発明のさらに他の局面に従うと、除菌装置は予め除菌動作を行なう位置として規定された位置である除菌動作位置にセットされた端末装置を除菌可能な除菌装置であって、端末装置と通信するための通信手段と、除菌動作を制御するための制御手段とを備える。制御手段は、端末装置が除菌動作位置にセットされたときの、端末装置の汚れ度合いを表わす指標の指標値に基づいて除菌動作の動作量を設定し、端末装置が除菌動作位置にセットされた状態において除菌動作を実行する。
【００１６】
好ましくは、除菌装置は、端末装置ごとに指標値を記憶するための記憶手段と、制御手段で実行された除菌動作の動作量から得られる除菌完了度合いに基づいて、記憶手段に記憶される、除菌動作の対象となった端末装置についての指標値を更新する管理手段とをさらに備える。
【００１７】
本発明のさらに他の局面に従うと、充電器は端末装置を充電可能な充電器であって、上記の除菌装置を搭載する。
【００１８】
本発明のさらに他の局面に従うと、除菌方法は、予め除菌動作を行なう位置として規定された位置である除菌動作位置にセットされた端末装置を除菌可能な除菌装置を用いて、端末装置を除菌する方法であって、端末装置が除菌動作位置にセットされたときの、端末装置の汚れ度合いを表わす指標の指標値に基づいて除菌動作の動作量を設定するステップと、端末装置が除菌動作位置にセットされた状態で、除菌装置において動作量で除菌動作を行なうステップと、動作量での除菌動作が完了、または端末装置が除菌動作位置にセットされた状態を脱すると、除菌装置での除菌動作を終了するステップと、除菌装置で行なわれた除菌動作の動作量から得られる除菌完了度合いに基づいて、除菌動作の対象となった端末装置についての指標値を更新するステップとを備える。
【発明の効果】
【００１９】
この発明によると、除菌対処の端末装置を効率的に除菌することができる。また、除菌動作の消費エネルギーを抑えることができる。
【図面の簡単な説明】
【００２０】
【図１】実施の形態にかかる除菌システムの構成の具体例を示す概略図である。
【図２】除菌システムに含まれる充電器の装置構成の具体例を示すブロック図である。
【図３】除菌ユニットの一例としてのイオン発生装置の具体例を表わした概略図である。
【図４】イオン発生装置のケース内の回路構成の具体例を表わした図である。
【図５】イオン発生装置の、正極側の回路の詳細な具体例を表わした図である。
【図６】除菌システムに含まれる電話機の装置構成の具体例を示すブロック図である。
【図７】除菌システムでの動作概要を表わした図である。
【図８】除菌システムで除菌動作が行なわれる際の、情報の流れを表わす図である。
【図９】充電器の機能構成の具体例を示すブロック図である。
【図１０】電話機の機能構成の具体例を示すブロック図である。
【図１１】充電器での動作の流れを表わすフローチャートである。
【図１２】電話機での動作の流れを表わすフローチャートである。
【図１３】電話機でのパラメータを検出する動作の具体例を表わすフローチャートである。
【発明を実施するための形態】
【００２１】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２２】
［第１の実施の形態］
＜システム構成＞
図１は、本実施の形態にかかる除菌システム１の構成の具体例を示す概略図である。図１を参照して、除菌システム１は、除菌装置を搭載した充電器１００と、除菌対象の端末装置である電話機２００とを含む。この例では、充電器１００が除菌装置を搭載することで充電器１００の一部分が除菌装置として機能するものとするが、充電機能を有さず、除菌装置そのものであってもよい。電話機２００は、携帯電話機であってもよいし、充電器１００を親機とした子機であってもよいし、無線通話機であってもよい。
【００２３】
さらに図１を参照して、充電器１００は、一例として、電話機２００がその内部にセット（固定）可能なホルダ形状のクレードル部２を有する。ホルダ内部には、イオン発生装置１４と、図示しない充電端子を備えた充電装置１６と、通信部１７とが配されている。また、充電器１００の外部から見やすい位置にディスプレイ１３が配されていてもよい。
【００２４】
電話機２００は、外側に面した位置に配された、入力装置の一例であるキー（キー群）２４およびマイク２５と、ディスプレイ２３と、スピーカ２６とを含む。また、充電器１００のクレードル部２にセットされた状態で充電装置１６および通信部１７にそれぞれ対応する位置に、充電装置２９および第１通信部２８が配される。また、電話機２００の把持位置に、接触を検知するためのセンサ２７が配される。
【００２５】
充電器１００に備えられた充電装置１６は、図示しない充電端子が電話機２００の充電装置２９に接触することで、充電装置２９に対して電力を供給する。充電装置２９は、供給された電力を電話機２００の図示しない蓄電池に蓄電する。
【００２６】
クレードル部２のホルダ形状は、好ましくは、セット可能な電話機２００の向きを規定する。その際、双方の充電装置および通信部は、セットされた際に接する位置に配される。
【００２７】
充電器１００の通信部１７と、電話機２００の第１通信部２８とは、一例として、規定された近距離となって通信可能となってもよい。このようにすることで、電話機２００が充電器１００にセットされた状態またはセットされた状態を脱した直後で通信可能となり、セットの検知も可能となる。もちろん、これら通信部は距離に関わらず通信が可能であり、通信部とは別に、電話機２００が規定された方向に充電器１００にセットされたことを検知する機構（ハードウェアスイッチ、磁界強度検出、センサ等）が設けられてもよい。さらに、電話機２００が規定された方向に充電器１００にセットされたことを検知する機構は、双方の充電装置１６，２９が兼用するものであってもよい。
【００２８】
イオン発生装置１４は除菌ユニットの一例であり、除菌剤としてのイオンをクレードル部２内に放出する。好ましくは、イオン発生装置１４は、クレードル部２に電話機２００がセットされた状態で図示しない放出孔が電話機２００の入力装置（キー（キー群）２４およびマイク２５）およびスピーカ２６に向かう方向に配される。従って、クレードル部２に電話機２００がセットされた状態が、後述する除菌動作に適した位置（以下、除菌動作位置とも称する）に電話機２００がセットされた状態であると言える。
【００２９】
＜装置構成＞
図２は、充電器１００の装置構成の具体例を示すブロック図である。図２を参照して、充電器１００は、装置全体を制御するための制御装置であるＣＰＵ（Central  Processing  Unit）１０と、メモリとして機能する、ＣＰＵ１０で実行されるプログラムなどを記憶するためのＲＯＭ（Read  Only  Memory）１１、およびＣＰＵ１０でプログラムを実行する際の作業領域として機能するためのＲＡＭ（Random  Access  Memory）１２と、ディスプレイ１３と、除菌ユニットの一例としてのイオン発生装置１４および除菌剤としてイオン発生装置１４から放出されたイオンをクレードル部２内に噴霧するためのファン１５と、充電装置１６と、電話機２００と通信するための通信部１７とを含む。
【００３０】
制御装置としてのＣＰＵ１０は、充電装置１６および通信部１７に電気的に接続されて、上記プログラムを実行することで充電装置１６による電話機２００の充電、および通信部１７による電話機２００との通信を制御すると共に、これらまたは他の機構を用いて、電話機２００がクレードル部２にセットされたこと、つまり、電話機２００が除菌動作位置にセットされたこと、またはセットされた状態を脱したことを検知する。
【００３１】
ＣＰＵ１０は、さらに、イオン発生装置１４およびファン１５に電気的に接続されて、上記プログラムを実行することでイオン発生装置１４およびファン１５の駆動を制御する。ＣＰＵ１０がこれらを駆動させることでクレードル部２内に除菌剤としてのイオンを放出させる動作を、除菌動作とも称する。
【００３２】
図３は、除菌ユニットの一例としてのイオン発生装置１４の具体例を表わした概略図である。図３を参照して、イオン発生装置１４は、一例として、２箇所削孔された直方体のケースを有し、該ケースから図示しない１２Ｖ程度の直流電源に接続するためのラインが伸びる。２つの孔のほぼ中央には、それぞれ、正極の針状電極４１Ａと、負極の針状電極４１Ｂとが位置する。
【００３３】
図４は、イオン発生装置１４のケース内の回路構成の具体例を表わした図である。また、図５は、イオン発生装置１４の、正極側の回路の詳細な具体例を表わした図である。
【００３４】
図４を参照して、ケース内の回路構成の具体例としては、大きくは、正極側の回路と負極側の回路とからなり、それぞれ、スイッチ４２Ａ，４２Ｂによって、直流電源に接続／非接続となる。スイッチ４２Ａ，４２Ｂの開閉は、ＣＰＵ１０によって制御される。各回路は、トランジスタと圧電素子とを有する直流を交流に変換するための変換回路と、高圧発生回路４３Ａ，４３Ｂとを含む。
【００３５】
より詳しくは、図５を参照して、スイッチ４２Ａが閉じると、１．５Ｖ〜１２Ｖ程度である直流電源からの電流は変換回路によって直流に変換され、ダイオードによって正極側に整流された後に保護回路を経て高圧発生回路４３Ａに入力される。高圧発生回路４３Ａは圧電素子を含み、正極側に整流された入力電圧を昇圧させて高電圧を発生させる。高電圧は正極の針状電極４１Ａに供給され、電極４１Ａの先端でコロナ放電が生じる。これにより、正イオンが発生し、電極４１Ａが設けられたイオン発生装置１４のケースの孔からケース外に放出される。
【００３６】
負極側の回路についても、図５の回路のダイオードの向きを逆とするのみで、後は同様である。すなわち、スイッチ４２Ｂが閉じると、負極の針状電極４１Ｂの先端でもコロナ放電が生じ、これにより負イオンが発生してケース外に放出される。
【００３７】
ここで、正イオンは、水素イオン（Ｈ+）の周囲に複数の水分子が付随したクラスターイオンであり、Ｈ+（Ｈ2Ｏ）m（ｍは任意の自然数）として表わされる。また負イオンは、酸素イオン（Ｏ2-）の周囲に複数の水分子が付随したクラスターイオンであり、Ｏ2-（Ｈ2Ｏ）n（ｎは任意の自然数）として表わされる。
【００３８】
正イオンおよび負イオンの両極性のイオンを放出する場合には、空気中の正イオンであるＨ+（Ｈ2Ｏ）m（ｍは任意の自然数）と、負イオンであるＯ2-（Ｈ2Ｏ）n（ｎは任意の自然数）とを略同等量発生させることにより、両イオンがカビ菌やウィルスの周りを取り囲み、その際に生成される活性種の水酸化ラジカル（・ＯＨ）の作用により、カビ菌などを除去することが可能となる。
【００３９】
ＣＰＵ１０がスイッチ４２Ａ，４２Ｂの両スイッチをＯＮとすることでイオン発生装置１４では正負両極のイオンが発生し、スイッチ４２Ａまたはスイッチ４２Ｂのうちの規定されているいずれか一方をＯＮし、他方をＯＦＦすることで正負いずれかの単極のイオンが発生する。除菌剤として正負両極のイオンが用いられてもよいし、正負いずれかの単極のイオンが用いられてもよいし、ユーザ操作などに従ってこれらが切り替えられてもよい。
【００４０】
イオン発生装置１４は除菌ユニットの一例であり、除菌装置としての充電器１００に含まれる除菌ユニットはこれに限定されない。除菌剤を放出（噴霧）可能な除菌ユニットであれば、除菌液を噴霧する装置など、他の装置であってもよい。
【００４１】
図６は、電話機２００の装置構成の具体例を示すブロック図である。図６を参照して、電話機２００は、装置全体を制御するための制御装置であるＣＰＵ２０と、メモリとして機能する、ＣＰＵ２０で実行されるプログラムなどを記憶するためのＲＯＭ２１およびＣＰＵ２０でプログラムを実行する際の作業領域として機能するためのＲＡＭ２２と、ディスプレイ２３と、入力装置の一例であるキー（キー群）２４およびマイク２５と、スピーカ２６と、接触を検知するためのセンサ２７と、充電器１００と通信するための第１通信部２８と、充電装置２９と、他の電話機との間で通話やデータ通信（ファクシミリ送受信、メール送受信、等）などの通信を行なうための第２通信部３０とを含む。
【００４２】
制御装置としてのＣＰＵ２０は、入力装置としてのキー（キー群）２４およびマイク２５と電気的に接続されて、これら入力装置に対するユーザ操作（キー操作、音声入力）に応じた操作信号（タッチ信号、音声信号）の入力を受け付けて、それに従って上記プログラムを実行する。また、ＣＰＵ２０は、上記プログラムに従って入力装置からの操作信号から必要な値を算出し、その値をメモリとしてのＲＯＭ２１やＲＡＭ２２に書き込む。
【００４３】
ＣＰＵ２０は、さらにセンサ２７に電気的に接続されて、センサ２７から接触があることを表わすセンサ信号の入力を受け付ける。ＣＰＵ２０は、上記プログラムに従ってセンサ信号から必要な値を算出し、その値をメモリとしてのＲＯＭ２１やＲＡＭ２２に書き込む。
【００４４】
ＣＰＵ２０は、さらに第１通信部２８に接続されて、上記プログラムに従って充電器１００との間の通信を制御すると共に、第１通信部２８での通信の可否または他の機構を用いて、電話機２００がクレードル部２にセットされたこと、つまり、電話機２００が除菌動作位置にセットされたこと、またはセットされた状態を脱したことを検知する。
【００４５】
ＣＰＵ２０は、さらに第１通信部２８に接続されて、上記プログラムに従って電話機２００と他の電話機との間の通信を制御する。ＣＰＵ２０は、上記プログラムに従ってこの通信から必要な値を算出し、その値をメモリとしてのＲＯＭ２１やＲＡＭ２２に書き込む。
【００４６】
＜動作概要＞
図７は、実施の形態にかかる除菌システム１での動作概要を表わした図である。図７を参照して、電話機２００が充電器１００のクレードル部２にセットされ、除菌動作位置にセットされると（図７（Ａ））、除菌動作が開始する。すなわち、イオン発生装置１４から除菌剤としてのイオンが放出され、ファン１５によってクレードル部２内の電話機２００に噴霧される（図７（Ｂ））。好ましくは、図７（Ｂ）に表わされたように、ホルダ形状であるクレードル部２には電話機２００の入力装置（キー（キー群）２４およびマイク２５）まで挿入される。これにより、入力装置により多くのイオンが噴霧されることになる。
【００４７】
着信などによってクレードル部２から電話機２００が取り上げられ、電話機２００が除菌動作位置へのセット状態から脱すると、除菌動作が終了する（図７（Ｃ））。
【００４８】
図８は、除菌システム１で除菌動作が行なわれる際の、情報の流れを表わす図である。
図８を参照して、ユーザが電話機２００を充電器１００のクレードル部２にセットし除菌動作位置にセットされた状態となると、電話機２００からパラメータが充電器１００に対して送信される（ステップＳ１）。
【００４９】
上記パラメータは、電話機２００の汚れ度合いを表わす、予め規定した指標の指標値である。汚れ度合いを表わす指標には、電話機２００にユーザが接触または接近した状態のさまざまな使用形態での使用時間が該当する。電話機２００にユーザが接触または接近した状態での使用形態としては、電話機２００を手で把持する使用形態、キー２４に指でタッチする使用形態、マイク２５に口を接近させて発話する使用形態、電話機２００を充電器１００のクレードル部２から取り外して除菌動作をしていない使用形態、などが挙げられる。そこで、ＣＰＵ２０は、電話機２００がクレードル部２にセットされていない状態の継続期間、電話機２００への接触が検知されている期間、電話機２００の入力装置（キー（キー群）２４およびマイク２５）への接触または接近を伴う入力期間として、キー（キー群）２４の操作時間や操作回数およびマイク２５への音声入力時間（つまり、通話時間）、および、電話機２００の動作期間としての通信時間のうちの少なくとも１つの期間（時間、回数）を検知（測定）し、その検知信号に基づいて上記指標の指標値として汚れ度合いを表わすパラメータを算出する。そして、電話機２００のＣＰＵ２０は、メモリとしてのＲＯＭ２１やＲＡＭ２２に記憶しておく。なお、上記パラメータは２以上であってもよい。その場合、ＣＰＵ２０は、上記の期間（時間、回数）のうちの２以上の期間を検知（測定）し、その検知信号に基づいて複数の指標それぞれの指標値として汚れ度合いを表わすパラメータを算出する。
【００５０】
除菌動作位置に電話機２００がセットされたことを検知すると、上記ステップＳ１で電話機２００のＣＰＵ２０は、上記パラメータを充電器１００に対して送信する。複数のパラメータが算出されている場合には、ＣＰＵ２は、それらすべて、または複数のパラメータのうちの後述するステップＳ２での除菌動作の動作量の設定に用いる２以上のパラメータを充電器１００に対して送信する。なお、この場合、いずれのパラメータを除菌動作の動作量の設定に用いるかは、たとえば装置の特性（通話に適した装置かメール送受信やウェブ閲覧などの操作に適した装置か、等）や、ユーザの使用状況（通話メインが、メール送受信やウェブ閲覧などの操作メインか、等）に応じて予め規定されていてもよいし、ユーザによって上記の内容等を考慮して選択可能であってもよい。
【００５１】
上記のパラメータはその値（指標値）が電話機２００の汚れ度合いを表わすものであるため、汚れ度合いが高い（値が大きい）ほど、より強力な除菌が必要、つまり、除菌動作の動作量を大きくする必要がある。また、動作量の大きい除菌動作が行なわれる、つまり、強力な除菌がなされるほど、電話機２００の汚れ度合いが低く（値が小さく）なる。
【００５２】
そこで、充電器１００のＣＰＵ１０は、電話機２００からのパラメータを用いて除菌動作の動作量を設定する（ステップＳ２）。動作量としては、たとえば、イオン発生装置１４およびファン１５それぞれについての、「強（濃）」「弱（薄）」などのモードや、動作時間などが該当する。
【００５３】
一例として、ＣＰＵ１０は、指標に応じた換算式を記憶しておく。その換算式は、一例として、指標値が大きくなるほど値が大きくなるような換算式が挙げられる。そして、ＣＰＵ１０は、指標値に対して対応した換算式を用いて、除菌対象値を算出する。複数の指標を用いる場合、ＣＰＵ１０は、これら複数の指標それぞれの指標値に対して対応した換算式を用いて得られた値の合計値、または予め規定されている係数を乗じた上での合計値を、除菌対象値として算出するようにしてもよい。ＣＰＵ１０は、予め、除菌対象値の範囲に応じた除菌動作の動作量（モード、動作時間）を記憶しておき、算出した除菌対象値の属する範囲に応じた動作量を、上記ステップＳ２で設定する。
【００５４】
そして、充電器１００のＣＰＵ１０は、設定した動作量で除菌動作を開始する（ステップＳ３）。また、充電器１００では電話機２００の充電も開始される。
【００５５】
しかしながら、上記ステップＳ３の除菌動作中に着信があるなどして、ユーザが電話機２００を充電器１００のクレードル部２から取り上げ（アップする）、電話機２００が除菌動作位置から脱すると、充電器１００のＣＰＵ１０は、充電および除菌動作を終了する。なお、電話機２００の使い方として、充電器１００のクレードル部２にセットした状態でキー２４を操作することなく通話する使い方（いわゆる手ぶら通話）も考えられる。この場合、充電器１００のＣＰＵ１０は、電話機２００への着信を検知することで除菌動作を終了してもよい。これにより、通話へのノイズの混入を防ぐことができる。
【００５６】
電話機２００が除菌動作位置から脱したり、着信があったりしたために除菌動作が終了した場合には、上記ステップＳ２で設定された動作量の除菌動作が行なわれていない。つまり、電話機２００の汚れ度合いに応じた除菌が行なわれていないため、完全な除菌ができていないことになる。
【００５７】
そこで、充電器１００のＣＰＵ１０は除菌動作を終了すると、上記ステップＳ２で設定した動作量と実際に行なった除菌動作の動作量とから、除菌動作の完了度合いを算出し（ステップＳ４）、動作結果として電話機２００に対して送信する（ステップＳ５）。ステップＳ４でＣＰＵ１０は、たとえば、上記ステップＳ２で設定した動作量に対する実際に行なった除菌動作の動作量の割合を除菌動作の完了度合いとして算出してもよいし、実際の除菌動作の動作量を上記の除菌対象値に換算した値を除菌動作の完了度合いとして算出してもよい。
【００５８】
電話機２００のＣＰＵ２０は、電話機２００がクレードル部２から取り上げられたことに伴って上記ステップＳ５で充電器１００から送信された動作結果としての除菌動作の完了度合いを受信すると、その完了度合いに基づいて関連するパラメータを更新する（ステップＳ６）。すなわち、上記ステップＳ３での除菌動作に応じた分、電話機２００が除菌されているため、ＣＰＵ２０は、ステップＳ６で、動作結果として受信した除菌動作の完了度合いで表わされた除菌動作分、指標値を減じて、除菌の効果をパラメータに反映させる。
【００５９】
＜機能構成＞
図９は、上記動作を行なうための充電器１００の機能構成の具体例を示すブロック図である。図９の各機能は、ＣＰＵ１０がＲＯＭ１１に記憶されているプログラムをＲＡＭ１２に読み出して実行することで、主に、ＣＰＵ１０に形成される。しかしながら、少なくとも一部が、図２の構成やその他の回路などによって形成されてもよい。
【００６０】
図９を参照して、ＣＰＵ１０は、通信部１７を介して電話機２００から送信されたパラメータとして１以上の指標についての指標値の入力を受け付けるための指標値入力部１０１と、指標値に基づいて除菌動作の動作量を設定するための設定部１０２と、設定された動作量でイオン発生装置１４やファン１５を駆動させることで除菌動作を制御するための駆動制御部１０３と、設定部１０２で設定した動作量と駆動制御部１０３で実際に行なった除菌動作の動作量と除菌動作の完了度合いを算出するための算出部１０４と、除菌動作の完了度合いを動作結果として、通信部１７を介して電話機２００に対して送信するための送信部１０５と、たとえば充電装置１６での充電の有無を検知することで、除菌動作位置であるクレードル部２に電話機２００がセットされているか否かを検知するためのセット検知部１０６とを含む。
【００６１】
図１０は、上記動作を行なうための電話機２００の機能構成の具体例を示すブロック図である。図１０の各機能は、電話機２００のＣＰＵ２０がＲＯＭ２１に記憶されているプログラムをＲＡＭ２２上に読み出して実行することで、主に、ＣＰＵ２０に形成される。しかしながら、少なくとも一部が図６の構成やその他の回路などによって形成されてもよい。
【００６２】
図１０を参照して、メモリとしてのＲＯＭ２１には、パラメータとして、予め規定されている指標についての指標値を記憶するための記憶領域であるパラメータ記憶部２１１が設けられる。複数の指標についての指標値が用いられる場合、パラメータ記憶部２１１には、指標ごとに指標値が記憶される。
【００６３】
さらに図１０を参照して、ＣＰＵ２０は、キー２４に対するユーザ操作に応じた操作信号の入力を受け付けるための操作信号入力部２０１と、マイク２５に対するユーザの発話に応じた音声信号の入力を受け付けるための音声信号入力部２０２と、接触を検知するためのセンサ２７からセンサ信号の入力を受け付けるためのセンサ信号入力部２０３と、これらの信号に基づいて、予め規定された汚れ度合いを表わす指標に関連した特定の使用態様についての使用量を検知するための使用量検知部２０４と、検知された使用量に基づいて指標値を算出し、パラメータ記憶部２１１に格納するための管理部２０５と、たとえば充電装置２９での充電の有無を検知することで、除菌動作位置であるクレードル部２に当該電話機２００がセットされているか否かを検知するためのセット検知部２０６と、第１通信部２８を介してパラメータである、１以上の指標についての指標値を充電器１００に対して送信するための送信部２０７と、第１通信部２８を介して充電器１００から動作結果として除菌動作の完了度合いの入力を受け付けるための動作結果入力部２０８とを含む。
【００６４】
管理部２０５は、さらに、除菌動作の完了度合いに基づいて、パラメータ記憶部２１１に記憶されている指標値を更新する。すなわち、管理部２０５は、除菌動作の完了度合いを上述のように１以上の指標それぞれの指標値に換算し、パラメータ記憶部２１１に記憶されている１以上の指標値それぞれを減じることで、除菌動作の効果を反映させる。
【００６５】
＜動作フロー＞
図１１は、充電器１００での動作の流れを表わすフローチャートである。図１１のフローチャートに表わされる動作は、充電器１００のＣＰＵ１０がＲＯＭ１１に記憶されるプログラムをＲＡＭ１２上に読み出して実行し、図９に表わされた各機能を発揮させることで実現される。
【００６６】
図１１を参照して、ＣＰＵ１０は、電話機２００がクレードル部２に置かれて除菌動作位置にセットされた状態となったことを検出すると（ステップＳ１０１でＹＥＳ）、電話機２００からのパラメータの送信を待機する。ここでは、ＣＰＵ１０が、セットが検出された電話機２００に対してパラメータの送信を要求してもよい。
【００６７】
電話機２００からパラメータを取得すると（ステップＳ１０３でＹＥＳ）、ＣＰＵ１０は、１以上の指標の指標値に基づいて除菌動作のモードや動作時間などの動作量を設定する（ステップＳ１０５）。その結果、除菌動作が必要である場合（ステップＳ１０７でＹＥＳ）、ＣＰＵ１０は、除菌動作を開始する（ステップＳ１０９）。ステップＳ１０９でＣＰＵ１０は、具体的には、設定した動作量でイオン発生装置１４を駆動し、また、設定した動作量でファン１５を駆動する。
【００６８】
設定した動作量の除菌動作が完了するか（ステップＳ１１１でＹＥＳ）、それよりも以前であっても電話機２００がクレードル部２から取り外されて除菌動作位置へセットされた状態を脱すると（ステップＳ１１１でＮＯ、かつステップＳ１１３でＹＥＳ）、ＣＰＵ１０は、除菌動作を終了する（ステップＳ１１５）。そして、ＣＰＵ１０は、実際の行なった除菌動作の動作量と上記ステップＳ１０５で設定した必要な動作量とから除菌の完了度合いを算出し、動作結果として電話機２００に対して送信する（ステップＳ１１７）。
【００６９】
その後、ＣＰＵ１０は、動作を上記ステップＳ１０１に戻して、次に電話機２００がクレードル部２に置かれるまで待機する。以降、以上の動作が繰り返される。
【００７０】
図１２は、電話機２００での動作の流れを表わすフローチャートである。図１２のフローチャートに表わされた動作は、電話機２００のＣＰＵ２０がＲＯＭ２１に記憶されているプログラムをＲＡＭ２２上に読み出して実行し、図１０に表わされた各機能を発揮させることで実現される。
【００７１】
図１２を参照して、電話機２００が充電器１００のクレードル部２から取り外されて除菌動作位置へセットされた状態を脱したことが検出されると（ステップＳ２０１でＹＥＳ）、ＣＰＵ２０は、充電器１００からの除菌動作の動作結果の送信を待機する。ここでは、ＣＰＵ２０が充電器１００に対して動作結果の送信を要求してもよい。
【００７２】
充電器１００から動作結果を受信すると（ステップＳ２０３でＹＥＳ）、ＣＰＵ２０は、動作結果が表わす除菌完了度合いから算出される値を記憶している１以上の指標それぞれの指標値を減じることで、各パラメータを更新する（ステップＳ２０５）。そして、ＣＰＵ２０は、電話機２００が充電器１００のクレードル部２から取り外されて使用されることに伴って、各パラメータの検出を開始する（ステップＳ２０７）。
【００７３】
電話機２００が充電器１００のクレードル部２に置かれて除菌動作位置にセットされたことが検出されると（ステップＳ２０９でＹＥＳ）、ＣＰＵ２０は、各パラメータの検出を終了する（ステップＳ２１１）。そして、ＣＰＵ２０は、１以上の指標それぞれの指標値を算出し、パラメータとして充電器１００に対して送信する（ステップＳ２１３）。
【００７４】
その後、ＣＰＵ２０は、動作を上記ステップＳ２０１に戻して、次に電話機２００がクレードル部２から取り外されるまで待機する。以降、以上の動作が繰り返される。
【００７５】
なお、上記ステップＳ２０７〜Ｓ２１１の間では、一例として、図１３のようなパラメータを検出する動作が行なわれる。すなわち、図１３を参照して、ＣＰＵ２０は、電話機２００がクレードル部２から取り外された状態において接触を検知するセンサ２７によって接触が検知されると（ステップＳ３０１でＹＥＳ）、その接触期間をカウント（計時）する（ステップＳ３０３）。
【００７６】
キー２４からの操作信号によってキー操作がなされたことが検知されると（ステップＳ３０５でＹＥＳ）、ＣＰＵ２０は、その操作期間（回数等）をカウントする（ステップＳ３０７）。
【００７７】
マイク２５から音声信号によってユーザによる発話（通話）がなされたことが検知されると（ステップＳ３０９でＹＥＳ）、ＣＰＵ２０は、通話期間（時間）をカウント（計時）する（ステップＳ３１１）。
【００７８】
また、第２通信部３０での監視することで通信が課されたことが検知されると（ステップＳ３１３でＹＥＳ）、ＣＰＵ２０は、通信期間（時間）をカウント（計時）する（ステップＳ３１５）。
【００７９】
＜実施の形態の効果＞
以上の動作が除菌システム１において行なわれることによって、電話機２００の実際の汚れ度合いに応じて除菌剤であるイオンが電話機２００に対して噴霧される。そして、その除菌動作の結果が汚れ度合いに反映される。そのため、除菌動作中に着信があるなどして、たとえ短時間で除菌動作が中断されたとしても、その除菌動作が当該電話機２００の汚れ度合いに反映されるため、除菌動作が無駄にならず、効率的に除菌することができる。また、予め１回の除菌動作の動作量が規定されている場合と比較すると、電話機２００の汚れ度合いがあまり高くない場合には必要以上の除菌動作を行なうことがないため、消費エネルギーを抑えることができる。
【００８０】
また、除菌システム１では、電話機２００の通話時間のみならず、除菌が必要となる、ユーザが当該電話機２００に接触したり接近したりした、複数の態様それぞれの使用時間に基づいた複数の指標値のうちの２以上の指標値をパラメータとして考慮して除菌動作の動作量を設定することもできる。このように、複数の指標値をパラメータとして用いることで、ユーザの電話機２００の使用条項に応じて効率的に除菌動作を行なうことができ、除菌効果を向上させることができる。
【００８１】
さらに、除菌システム１では、電話機２００の指標値は電話機２００ごとに記憶されているため、充電器１００と電話機２００との組み合わせが異なっても、つまり、電話機２００を別の充電器１００に置いても、同様の除菌動作が行なわれることになる。たとえば、除菌システム１が例示された充電器１００と電話機２００との構成である場合、電話機２００は子機として複数備えられる場合がある。そのような場合に、各子機である電話機２００が自身のパラメータを記憶しておくことで、どの子機が充電器１００にセットされても、それぞれに対応した除菌動作が行なわれることになる。また、たとえ充電器１００のメモリがクリアされたとしても、次に電話機２００が充電器１００に置かれたときにも同様に除菌動作が行なわれる。これにより、特別な装置を搭載するといった高コストとなる要因を抑え、低コストで最適な除菌制御を実現できる。
【００８２】
また、除菌システム１では、除菌対象装置である電話機２００の充電器１００へのセット状態に連動して除菌動作が行なわれるようにしているため、電話機２００の本来の使用である通話等の通信に除菌動作によるノイズを混入させることのない、最適な除菌制御を実現できる。
【００８３】
［第２の実施の形態］
以上の例では、イオン発生装置１４およびファン１５で例示された除菌ユニットが充電器１００に搭載されているものとしているが、各電話機２００に搭載され、充電器１００に電話機２００がセットされたときに、充電器１００からの制御信号に従って除菌動作が行なわれるようにしてもよい。
【００８４】
［第３の実施の形態］
以上の例では、各電話機２００が自身のパラメータをメモリに記憶するものとしているが、除菌システム１に図示しないサーバが含まれる場合、当該サーバに各電話機２００がアップロードし、充電器１００がサーバからダウンロードするものとしてもよい。
【００８５】
または、充電器１００が電話機２００からパラメータを受信することで電話機２００ごとにパラメータを記憶し、自身の除菌動作に応じてそのパラメータを更新するようにしてもよい。
【００８６】
また、電話機２００側にて自身のパラメータに基づいて除菌動作の動作量を設定し、その動作量を充電器１００に送信するようにしてもよい。この場合、電話機２００は充電器１００での除菌能力を予め記憶しておき、または、クレードル部２にセットしたタイミングで充電器１００から受信し、または、充電器１００を特定する情報（たとえば識別情報）のみを受信してそれに基づいて図示しないサーバから充電器１００の除菌能力を受信し、それも考慮して動作量を設定するようにしてもよい。
【００８７】
［第４の実施の形態］
以上の例では、除菌システム１が充電器１００と電話機２００との組み合わせからなるものとしているが、除菌装置と除菌対象装置との組み合わせであれば電話機に限定されない。除菌対象装置は、ユーザが接触したり接近したりして使用するものであればどのようなものであってもよく、たとえば、リモコンや、パーソナルコンピュータの入力装置（キーボード、マウス等）や、携帯端末や、ゲーム機や、家電製品や、電動歯ブラシなどの衛生製品などであってもよい。
【００８８】
［第５の実施の形態］
なお、除菌対象の装置がスケジュール情報を記憶する端末装置である場合、充電器１００のＣＰＵ１０は、上記端末装置が充電器１００のクレードル部２に置かれたときに端末装置から予めスケジュールされている当該端末装置の使用時期（外出予定、等）を読み出し、その使用時期までの期間を除菌動作の期間としてさらに考慮して除菌動作の動作量（たとえば動作モード、等）を設定するようにしてもよい。
【００８９】
［第６の実施の形態］
また、充電器１００は、電話機２００が充電器１００のクレードル部２に置かれたときに電話機２００から電池残量を読み出し、充電完了までの期間を除菌動作の期間としてさらに考慮して除菌動作の動作量（たとえば動作モード、等）を設定するようにしてもよい。
【００９０】
［第７の実施の形態］
さらに、上述の動作を、充電器１００のＣＰＵ１０や、除菌対象の装置である電話機２００のＣＰＵ２０や、除菌システム１に含まれる図示しないサーバなどに実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９１】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９３】
提供されるプログラム製品は、ハードディスクなどのプログラム格納部にインストールされて実行される。なお、プログラム製品は、プログラム自体と、プログラムが記録された記録媒体とを含む。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１０，２０  ＣＰＵ、１１，２１  ＲＯＭ、１２，２２  ＲＡＭ、１３，２３  ディスプレイ、１４  イオン発生装置、１５  ファン、１６，２９，１６，２９  充電装置、１７  通信部、２４  キー、２５  マイク、２６  スピーカ、２７  センサ、２８  第１通信部、３０  第２通信部、４１Ａ  電極、４２Ａ，４２Ｂ  スイッチ、４３Ａ，４３Ｂ  高圧発生回路、１００  充電器、１０１  指標値入力部、１０２  設定部、１０３  駆動制御部、１０４  算出部、１０５，２０７  送信部、１０６，２０６  セット検知部、２００  電話機、２０１  操作信号入力部、２０２  音声信号入力部、２０３  センサ信号入力部、２０４  使用量検知部、２０５  管理部、２０８  動作結果入力部、２１１  パラメータ記憶部。
【図１】
2014158217.tif 000003
【図２】
2014158217.tif 000004
【図３】
2014158217.tif 000005
【図４】
2014158217.tif 000006
【図５】
2014158217.tif 000007
【図６】
2014158217.tif 000008
【図７】
2014158217.tif 000009
【図８】
2014158217.tif 000010
【図９】
2014158217.tif 000011
【図１０】
2014158217.tif 000012
【図１１】
2014158217.tif 000013
【図１２】
2014158217.tif 000014
【図１３】
2014158217.tif 000015